(57)【要約】【課題】肩紐のないタイプのロングブラジャー等の被服において、フロント布からボーンを無くした場合でもカップ部のずれ落ちを防止する。【解決手段】腰部まで達するフロント布１０と、腰部まで達するバック布１１と、フロント布１０の上端部に設けられた左右のカップ部１２ａ，１２ｂと、これらカップ部１２ａ，１２ｂの下端部とフロント布１０の上端部との間に設けられたＵ字形状の左右のカップボーン１３ａ，１３ｂと、フロント布１０とバック布１１との左右の縫着部分に縦方向に沿って脇ボーン１４と、各カップ部１２ａ，１２ｂの内側に張設された伸縮性を有するテープ部材１６ａ，１６ｂとからなり、左側のテープ部材１６ａの一端部１６ａ１は、左側のカップボーン１３ａの下端部１３ａ１に固定されており、他端部１６ａ２は両カップボーン１６ａ，１６ｂの中央側上端部の接合部分１７に固定されている。【選択図】図２
2007231455.tif 000002
【特許請求の範囲】
【請求項１】
フロント布と、バック布と、前記フロント布の上端部に設けられた左右のカップ部と、前記各カップ部の下端部と前記フロント布の上端部との間に設けられた左右のカップボーンとからなる女性用被服であって、
前記カップ部の内側に伸縮性を有するテープ部材が張設されているとともに、このテープ部材の一端部は、前記カップボーンの下端部に固定されており、他端部は前記両カップボーンの中央側上端部の接合部分に固定されていることを特徴とする女性用被服。
【請求項２】
フロント布と、バック布と、前記フロント布の上端部に設けられた左右のカップ部と、前記各カップ部の下端部と前記フロント布の上端部との間に設けられた左右のカップボーンとからなる女性用被服であって、
前記カップ部の内側に伸縮性を有するテープ部材が張設されているとともに、このテープ部材の一端部は、一方のカップボーンの下端部に固定されており、他端部は他方のカップボーンの中央側上端部に固定されていることを特徴とする女性用被服。
【請求項３】
前記フロント布及びバック布が腰部まで延設されており、これらフロント布とバック布の左右の縫着部分に縦方向に沿って脇ボーンが設けられていることを特徴とする請求項１または請求項２に記載の女性用被服。
【発明の詳細な説明】
【技術分野】
【０００１】
本発明は、フロント布と、バック布と、前記フロント布の上端部に設けられた左右のカップ部と、前記各カップ部の下端部と前記フロント布の上端部との間に設けられた左右のカップボーンとからなるブラジャー、ロングブラジャー、ボディースーツ等の女性用被服に関する。
【背景技術】
【０００２】
従来から、腰部まで達するフロント布と、腰部まで達するバック布と、前記フロント布部の上端部に設けられた左右のカップ部とからなるいわゆるロングブラジャーやボディースーツ等が提案されている。
【０００３】
ロングブラジャーとしては、例えば特許文献１に記載のものがある。
【０００４】
このロングブラジャーは、図５に示すように、ウェストニッパーの機能も兼備させたロングブラジャーであり、フロント布１１０及びバック布１０５が共に長くウェスト下部まで延在している。また、左右のカップ部１００の下半部の湾曲縁周縁１０４には、ほぼ円弧状のカップワイヤー１０３を具備している。この態様のロングブラジャーは、乳房の下側からウェスト部までの形を整えウェストを細く見せるようにするため、ほぼ直線状の金属やプラスチックスの細幅の帯状物からなるボーン１０９をさらに具備している。また、この図では肩紐１０６を備えているが、アウターとして肩紐の無いドレスを着用する場合には、この肩紐１０６を除去した状態のロングブラジャーも提供されている。
【特許文献１】特開２００２−１６１４０４号公報（［０００４］，図１１参照）
【発明の開示】
【発明が解決しようとする課題】
【０００５】
上記したように、従来のロングブラジャーは、乳房の下側からウェスト部までの形を整えてウェストを細く見せるために、多数のボーン１０９を具備している。そのため、肩紐が無い場合でも、カップ部１００がこのボーン１０９によって支えられるため、カップ部１００が下にずれ落ちるといったことはない。
【０００６】
しかし、このようなボーン１０９が身体の腹部に多数入っていると、身体を前後に動かしづらいといった問題がある。そのため、腹部のボーンは無い方がよいが、その一方で、腹部のボーンを抜いてしまうと、肩紐の無いタイプでは、カップ部１００が下にずれ易くなってしまうといった問題が発生する。
【０００７】
本発明はかかる問題点を解決すべく創案されたもので、その目的は、肩紐のないタイプの被服において、フロント布からボーンを無くした場合でもカップ部のずれ落ちを防止した女性用被服を提供することにある。
【課題を解決するための手段】
【０００８】
上記課題を解決するため、本発明の女性用被服は、フロント布と、バック布と、前記フロント布の上端部に設けられた左右のカップ部と、前記各カップ部の下端部と前記フロント布の上端部との間に設けられた左右のカップボーンとからなる女性用被服であって、前記カップ部の内側に伸縮性を有するテープ部材が張設されているとともに、このテープ部材の一端部は、前記カップボーンの下端部に固定されており、他端部は前記両カップボーンの中央側上端部の接合部分に固定されていることを特徴とする。すなわち、両テープ部材は、左右のカップ部の内側において、カップ部を斜めに横切るようにハの字状に配置されている。このように配置することにより、この女性用被服を身体に装着したとき、このテープ部材が乳房自体をも受け止めるように作用するとともに、カップボーンの変形を防止する役目を果たすことになる。これにより、カップ部のずれ落ちが防止される。
【０００９】
また、本発明の女性用被服は、フロント布と、バック布と、前記フロント布の上端部に設けられた左右のカップ部と、前記各カップ部の下端部と前記フロント布の上端部との間に設けられた左右のカップボーンとからなる女性用被服であって、前記カップ部の内側に伸縮性を有するテープ部材が張設されているとともに、このテープ部材の一端部は、一方のカップボーンの下端部に固定されており、他端部は他方のカップボーンの中央側上端部に固定されていることを特徴とする。すなわち、両テープ部材は、左右のカップ部の内側において、カップ部を斜めに横切るようにハの字状に配置されている。また、本発明では、両テープ部の他端部は上部で交叉し、他方のカップボーンに固定されているため、この女性用被服を身体に装着したとき、このテープ部材が乳房自体をも受け止めるように作用するとともに、カップボーンの変形を防止する役目をさらに効果的に発揮することになる。これにより、カップ部のずれ落ちがより防止される。
【００１０】
また、本発明の女性用被服はさらに、前記フロント布及びバック布が腰部まで延設されており、これらフロント布とバック布の左右の縫着部分に縦方向に沿ってボーンが設けられていることを特徴とする。すなわち、本発明の女性用被服を左右両側にボーンの入ったロングブラジャーに適用することで、上記テープ部材の作用をより発揮することができ、カップ部のずれ落ちをより確実に防止し得るものである。
【発明の効果】
【００１１】
本発明は上記のように構成したので、肩紐が無い場合でも、カップ部がずれ落ちないブラジャー、ロングブラジャー、ボディースーツ等の女性用被服を提供することができる。
【発明を実施するための最良の形態】
【００１２】
以下、本発明の実施の形態について、図面を参照して説明する。
【００１３】
＜実施形態１＞
図１は、本発明の女性用被服をロングブラジャーに適用した実施形態を示しており、（ａ）は正面図、（ｂ）は背面図である。
【００１４】
このロングブラジャー１Ａは、腰部まで達するフロント布１０と、腰部まで達するバック布１１と、フロント布１０の上端部に設けられた左右のカップ部１２ａ，１２ｂと、これらカップ部１２ａ，１２ｂの下端部とフロント布１０の上端部との間に設けられたＵ字形状の左右のカップボーン１３ａ，１３ｂとからなる。また、フロント布１０とバック布１１との左右の縫着部分に縦方向に沿って脇ボーン１４がそれぞれ設けられており、フロント布１０とバック布１１とは、身体にフィットするように筒形状に形成されている。なお、ここで言う左右は、図１（ｂ）の背面側から見たときの左右方向を基準としている。
【００１５】
本実施形態１のロングブラジャー１Ａは、図４に示すように、脇ボーン１４があることによって、装着したときにフロント布１０及びバック布１１を身体にフィットした状態で支える形となるため、上下にずれにくい構造となっている。
【００１６】
上記構成において、本実施形態１のロングブラジャー１Ａは、図２に示すように、各カップ部１２ａ，１２ｂの内側に、伸縮性を有するテープ部材１６ａ，１６ｂがそれぞれ張設されている。左側のテープ部材１６ａの一端部１６ａ１は、左側のカップボーン１３ａの下端部（Ｕ字形状の底部）１３ａ１に固定されており、他端部１６ａ２は両カップボーン１６ａ，１６ｂの中央側上端部の接合部分１７に固定されている。ただし、この例では、他端部１６ａ２は、左側のカップボーン１３ａの上端部１３ａ２に固定されている。また、右側のテープ部材１６ｂの一端部１６ｂ１は、右側のカップボーン１３ｂの下端部（Ｕ字形状の底部）１３ｂ１に固定されており、他端部１６ｂ２は両カップボーン１６ａ，１６ｂの中央側上端部の接合部分１７に固定されている。ただし、この例では、他端部１６ｂ２は、右側のカップボーン１３ｂの上端部１３ｂ２に固定されている。なお、ここで言う張設とは、テープ部材１６ａ，１６ｂにテンションを与えず、まっすぐ伸ばした状態で設けることを意味している。なお、テープ部材１６ａ，１６ｂとしては、例えばシリコンテープの使用が可能である。
【００１７】
すなわち、両テープ部材１６ａ，１６ｂは、左右のカップ部１２ａ，１２ｂのそれぞれの内側において、カップ部を斜めに横切るようにハの字状に配置されている。
【００１８】
このように配置することにより、このロングブラジャー１Ａを身体に装着したとき、テープ部材１６ａ，１６ｂが乳房自体をも受け止めるように作用するとともに、カップボーン１３ａ，１３ｂの変形を防止する役目を果たすことになる。これにより、カップ部１２ａ，１２ｂのずれ落ちが防止される。
【００１９】
本発明者は、実際にテープ部材１６ａ，１６ｂを取り付けたロングブラジャーを用いて装着実験を行った結果、従来の肩紐無しのロングブラジャーではカップ部がずれ落ち易かったが、本実施形態１のロングブラジャー１Ａでは、カップ部１２ａ，１２ｂがずれ落ちることなく乳房に安定的に保持されることを確認した。
【００２０】
＜実施形態２＞
本実施形態２のロングブラジャー１Ｂの基本構成は、図１に示した上記実施形態１のロングブラジャー１Ａと同じであり、テープ部材１６ａ，１６ｂの取り付け構造のみが異なっている。
【００２１】
すなわち、本実施形態２のロングブラジャー１Ｂは、図３に示すように、各カップ部１２ａ，１２ｂの内側に、伸縮性を有するテープ部材１６ａ，１６ｂがそれぞれ張設されている。左側のテープ部材１６ａの一端部１６ａ１は、左側のカップボーン１３ａの下端部（Ｕ字形状の底部）１３ａ１に固定されており、他端部１６ａ２は右側のカップボーン１３ｂの中央側上端部１３ｂ２に固定されている。また、右側のテープ部材１６ｂの一端部１６ｂ１は、右側のカップボーン１３ｂの下端部（Ｕ字形状の底部）１３ｂ１に固定されており、他端部１６ｂ２は左側のカップボーン１３ａの中央側上端部１３ａ２に固定されている。
【００２２】
すなわち、両テープ部材１６ａ，１６ｂは、左右のカップ部１２ａ，１２ｂのそれぞれの内側において、カップ部を斜めに横切るようにハの字状に配置されており、さらに、両テープ部１６ａ，１６ｂの他端部１６ａ２，１６ｂ２は交叉して、他方のカップボーンの上端部に固定されている。なお、ここで言う張設とは、テープ部材１６ａ，１６ｂにテンションを与えず、まっすぐ伸ばした状態で設けることを意味している。
【００２３】
このように配置することにより、このロングブラジャー１Ｂを身体に装着したとき、このテープ部材１６ａ，１６ｂが乳房自体をも受け止めるように作用するとともに、カップボーン１３ａ，１３ｂの変形を防止する役目をさらに効果的に発揮することになる。これにより、カップ部１２ａ，１２ｂのずれ落ちがより防止される。
【００２４】
本発明者は、実際にテープ部材１６ａ，１６ｂを取り付けたロングブラジャーを用いて装着実験を行った結果、従来の肩紐無しのブラジャーではカップ部がずれ落ち易かったが、本実施形態２のロングブラジャー１Ｂでは、カップ部１２ａ，１２ｂがずれ落ちることなく乳房に安定的に保持されることを確認した。さらに、上記実施形態１のロングブラジャー１Ａと本実施形態２のロングブラジャー１Ｂとを比較した結果、本実施形態２のロングブラジャー１Ｂの方がずれ落ち防止効果はより良好であった。これは、両テープ部１６ａ，１６ｂの他端部１６ａ２，１６ｂ２を交叉して、他方のカップボーンに固定したことにより、両カップボーンが相互に作用した結果によると考えられる。
【００２５】
なお、上記各実施形態１，２では、フロント布１０とバック布１１との左右の縫着部分に脇ボーン１４が設けられたロングブラジャー１Ａ，１Ｂに本発明を適用しているが、ボディースーツや通常の長さのブラジャーに本発明を適用しても同様の効果が得られるものである。
【図面の簡単な説明】
【００２６】
【図１】本発明の実施形態に係るロングブラジャーを示しており、（ａ）は正面図、（ｂ）は背面図である。
【図２】実施形態１のロングブラジャーのカップ部の内側を拡大して示す説明図である。
【図３】実施形態２のロングブラジャーのカップ部の内側を拡大して示す説明図である。
【図４】本発明のロングブラジャーの装着状態を示す側面図である。
【図５】従来のロングブラジャーの一構成例を示す斜視図である。
【符号の説明】
【００２７】
１Ａ，１Ｂ  ロングブラジャー
１０  フロント布
１１  バック布
１２ａ，１２ｂ  カップ部
１３ａ，１３ｂ  カップボーン
１３ａ１，１３ｂ１  下端部
１３ａ２，１３ｂ２  上端部
１４  脇ボーン
１６ａ，１６ｂ  テープ部材
１６ａ１，１６ｂ１  一端部
１６ａ２，１６ｂ２  他端部
１７  接合部分
【図１】
2007231455.tif 000003
【図２】
2007231455.tif 000004
【図３】
2007231455.tif 000005
【図４】
2007231455.tif 000006
【図５】
2007231455.tif 000007